(57)【要約】【課題】  天候に左右されることなく、寒冷地の厳冬期の寒さを大勢のひとが一斉に共有しながら各種のイベントを楽しむことが出来る構築物を提供する。【解決手段】    天井がドーム型をなす構築物の壁および天井の骨格をパイプ材１１を用いて作り、この骨格の上に透水性のある布地１４を展張して固定し、この布地に対して水Ｗを散水し、布地の裏面まで水を浸透させて、布地の表裏の水を外気温をもって氷結させる（請求項１）。大型のドームを構築する場合は、構築物を、構造強度に優れたジオデシックドームとすることがある（請求項２）。【選択図】    図４
2010031486.tif 000002
【特許請求の範囲】
【請求項１】
天井がドーム型をなす構築物の壁および天井の骨格をパイプ材を用いて作り、
この骨格の上に透水性のある布地を展張して固定し、
この布地に対して水を散水し、
布地の裏面まで水を浸透させて、布地の表裏の水を外気温をもって氷結させることを特徴とするアイスドームの構築方法。
【請求項２】
天井がドーム型をなす構築物はジオデシックドームであることを特徴とする請求項１記載のアイスドームの構築方法。
【発明の詳細な説明】
【技術分野】
【０００１】
本発明はパイプ材を用いたドーム型のイベント会場に係り、特にイベント会場の外観および内装が、外見上、氷によって構築されているかの如くにみえるアイスドームの構築方法に関する。
【背景技術】
【０００２】
北海道のような寒冷地では、厳冬期の寒さを楽しむための各種のイベントの試みがなされる。とくに、温暖な国や地域からの観光客は厳冬期の寒さを経験することを望む人が多い。
【０００３】
このため、ホテル等においては、雪でかまくらを作って情緒を味わってもらったり、厳冬期に野外コンサートを開催する等、さまざまの体験型プランを実施している。
【特許文献１】なし
【発明の開示】
【発明が解決しようとする課題】
【０００４】
問題は、寒冷地の厳冬期に、大勢の人々が同時に寒さを共有しながら楽しめるイベント会場を作ることが困難だった点にある。
【０００５】
雪で作ったかまくらは、楽しいけれども小さいため、大勢の人が一緒になって音楽を聴いたり、飲食をしたり、踊ったりすることは困難である。また、厳冬期の野外コンサートは、寒さを全員で共有して楽しむ点ではよいが、吹雪の時のように悪天候の時には開催が困難であるため、スケジュールを立てにくい難点があり、イベント主催者やプロモータとしては営業の大きな支障となっていた。
【０００６】
そこで、本発明は、天候に左右されることなく、寒冷地の厳冬期の寒さを大勢の人が一斉に共有しながら各種のイベントを楽しむことが出来る構築物を提供することにある。
【課題を解決するための手段】
【０００７】
前記目的を達成して、課題を解決するため、本発明に係るアイスドームの構築方法は、天井がドーム型をなす構築物の壁および天井の骨格をパイプ材を用いて作り、この骨格の上に透水性のある布地を展張して固定し、この布地に対して水を散水し、布地の裏面まで水を浸透させて、外気温をもって（寒冷地の厳冬期の外気温を利用して）布地の表裏の水を氷結させる。
【０００８】
本発明に係るアイスドームは、布地に水を浸透させ、表裏の水を氷結させるため、氷の内側にあるパイプ材や布地は外部からは見えない。利用者（観客）は、会場全体が外側も内側も氷で作られているかにみえる厳冬期ならではの特殊空間の雰囲気を味わいながら、イベントを楽しむことが出来る。
【０００９】
大型のドームを構築する場合は、構築物を、構造強度に優れたジオデシックドームとすることがある（請求項２）。
【発明の効果】
【００１０】
本発明に係るアイスドームの構築方法によれば、天候に左右されることなく、寒冷地の厳冬期の寒さを大勢の人が一斉に共有しながら各種のイベントを楽しむ構築物を安価に作ることが出来る。
【００１１】
組み立てたパイプ材に布地を展張して天井がドーム型のイベント会場を構築し、布地に水を散水することは作業上の困難性もないため、工期も短く、建設費用も安価に抑えることが出来る。北海道のような寒冷地では、厳冬期には夜間は必ず氷点下の外気温になるので、散水すれば短時間で水は氷結する。氷結した水は融解速度が遅いため、昼間に例外的な摂氏プラスの気温になっても、そのままの状態を保つ。
【発明を実施するための最良の形態】
【００１２】
図１、図２は、本発明に係るアイスドームの構築方法の一実施形態を示すものである。このアイスドームは、パイプ材１１を使って多数の正三角形を組み合わせたジオデシックドームを用いる。ジオデシックドームは、例えば、２０面体を用いて全体形状が略半球形となる構造を作り、ここに多数の正三角形のトラス構造を組み合わせてドーム骨子を作った上で、組み上げたパイプ材１１の上に布地１４を展張するものである。１７、１８は人や荷物等が出入りするためのゲート用開口である。
【００１３】
パイプ材１１は、例えば、鉄またはアルミニウム等の金属または耐寒性のある樹脂を用いた円筒形または角柱形のものを使用する。パイプ材１１同士の連結は、例えば、図３に示すように、パイプ材１１の端部に設けた平板状のフランジ１２にボルト孔１６を設けて、フランジ１２同士を重ね合わせ、ボルト孔１６にボルト（図示せず）を挿通させてナットを介して締め固定する。
【００１４】
通常の場合、構築物の大きさと形状設計図によって決まっているから、湾曲部分に所定の曲率と長さのパイプ材１１を用いて結合連結していけば、構築物の骨子を短時間で組み上げることが出来る。
【００１５】
パイプ材１１の上から展張する布地１４は、透水性と可撓性がある肉薄のシートであればよい。例えば、麻布や木綿のような天然繊維を使ったシートでも良いし、生地全体に均等な親水性をもたせた樹脂製のシートでも良い。
【００１６】
布地１４を展張するに際しては、例えば、多数の正三角形を用いたジオデシック構造の特徴を利用して、正三角形に成形した布地１４を用意して、各布地１４の少なくとも三頂点をパイプ材１１に係止する。
【００１７】
次に、図４に示すように、布地１４の上から水Ｗを散水する。表面積の大きな大型ドームに水Ｗを散水するため、散水ポンプ１５を利用することが望ましい。また、散水ポンプ１５に接続させたホースＨの先端部には、シャワー散水ノズル１９を設けて、布地１４の全体に均一に水Ｗを散水できるようにすることが望ましい。
【００１８】
水Ｗの散水は、外気温が摂氏マイナス０℃以下の時に行い、布地１４に付着した水Ｗを即時氷結させることが望ましい。ドームの表面積は広いので、布地１４に水Ｗをかけながら散水ポイントを移動させてゆけば、布地１４に付着した水Ｗは長い時間をかけずに次々と氷結してゆく。図５に、布地１４の表面に形成される氷を符号Ｃで示す。
【００１９】
布地１４に散水した水Ｗが氷結した後にも、繰り返し水Ｗを散水すれば、布地１４の表面側の氷Ｃの厚みが増してゆく。布地１４の裏面にも氷の層ができるが、裏面の氷の層は水Ｗの散水によっても厚みは成長しない。布地１４の裏面に形成された氷の層が、水Ｗの侵入を防ぐからである。
【００２０】
水Ｗを繰り返して散水することにより、ドームの基端部まわりには厚い氷Ｃの層ができる。ただし、ゲート用開口１７、１８のまわりには、水Ｗを散水しないし、布地１４がないため、氷Ｃは存在しない。
【００２１】
かかる方法によれば、パイプ材１１を用いてジオデシック構造のドームを作り、布地１４を張った上から水Ｗを散水するだけで良いから、少ない建築コストで、大型のアイスドームを作ることができる。工期も短く、撤収も容易である。ジオデシック構造のドームは全体がトラス構造であるから、氷Ｃの重量にも十分に耐え、安全性も保証できる。
【００２２】
本願発明に係るアイスドームは、以上の実施形態のものに限定されない。例えば、本発明に係るアイスドームは、ジオデシックドームに限らず、例えば図６に示すような非ジオデシック構造のものであってもよい。
【００２３】
ドームの上に展張する布地１４は、三角形のものに限らない。作業効率を高めるため、大きな面積をもったものを使用してもよい。例えば、半球形を呈するドーム骨子の領域を、天頂部、中間部、基底部の三つにグループ分けし、それぞれの対応箇所に合わせて成形した布地１４を張ってゆく等である。ドームの規模が大きくなる場合は、布地１４の数と形状を調整して、例えば４分割、５分割、６分割のように、布地１４の大きさを調整してもよい。
【００２４】
布地１４をパイプ材１１に固定するに際しては、ジオデシック構造のドームの場合は、例えば三頂点をボルト締めする等によって行えるが、これに限らず、例えば、両者に係止リングと係着フックを設け、それらの係合によって止め固定してもよい。布地１４の表裏は氷に覆われるため、布地１４を軽く係止させるだけでも、風によって布地１４が吹き飛ばされる等の事態は生じない。
【００２５】
構築物の骨子を作るパイプ材１１同士の連結は、フランジに設けたボルト孔を利用する旨説明したが、フランジを設けなくてもパイプ材１１同士の連結は可能である。例えば、パイプ材１１の交点を被覆するジョイントを用いて、このジョイントとパイプ材１１とにボルト等の係止金具を挿通させれば良いからである。
【００２６】
アイスドームの内壁（布地１４の裏面側）に、ドーム内部から映像を投影すれば、全天周型の幻想的な映像表現を行うことができる。
【図面の簡単な説明】
【００２７】
【図１】実施形態に係るジオデシック構造のドーム骨格を例示する図である。
【図２】図１のドーム骨子に布地を展張する段階を例示する図である。
【図３】実施形態に係るパイプ材の連結構造を例示する図である。
【図４】図２の布地に水を散水する段階を例示する図である。
【図５】図４の布地表面に氷が張った段階を例示する図である。
【図６】実施形態に係る他のドーム骨子を例示する図である。
【符号の説明】
【００２８】
１１  パイプ材
１２  フランジ
１４  布地
１５  散水ポンプ
１６  ボルト孔
１７、１８  ゲート用開口
１９  シャワー散水ノズル
Ｃ  氷
Ｈ  ホース
Ｗ  水
【図１】
2010031486.tif 000003
【図２】
2010031486.tif 000004
【図３】
2010031486.tif 000005
【図４】
2010031486.tif 000006
【図５】
2010031486.tif 000007
【図６】
2010031486.tif 000008